Podtech/llm-jp-corpus-v4-ja_patent huggingface dataset:
(57)【要約】      （修正有）【課題】台紙の誕生年（十二支）と誕生月で、生涯の基本カラーと叶えたい願いを回転盤を使って、その中に示された干支でのパワーアップカラーを見つけるカラーカレンダーを提供する。【解決手段】台座の円盤の中に、十二支のブロックに示された１月から１２月の基本色と、その上に重ねた一回り小さい透明の回転盤の上に、１から１２の数字及び叶えたい願いを１２ブロッツクに分けて明記してあります。「１」の数字を下の台座の自分の干支に合わせます。この状態で組み合わされた「１」から「１２」の願いの色が自分の生涯のパワーアップカラーになります。【選択図】図２
0003144696.tif 000002
【実用新案登録請求の範囲】
【請求項１】
本考案は、台座の円盤の中に十二支のブロックに示された１月から１２月の基本色と、その上に重ねた一回り小さい透明の回転盤の上において、１から１２の数字及び叶えたい願を１２ブロックに分け明記してあり、透明回転盤「１」の数字を下の台座の自分の干支に合わせた状態で示された「１」から「１２」の願いの色が、自分の生涯のパワーアップカラーになり、自分の十二支の台座に示された第１カラー、正反対側のブロックに位置する第２カラー、誕生月の第３カラーでなる基本３色により、自分の生涯のパワーアップカラーを見い出すことのできるカラーカレンダー。
【考案の詳細な説明】
【０００１】  台紙の誕生年（十二支）と誕生月で、生涯の基本カラーと叶えたいお願いを回転盤を使って、その中に示された干支で毎月、毎日のパワーアップカラーを見つけるカラーカレンダーに関するものです。
【背景技術】
【０００２】  実用新案登録番号第３０６１６２７号で、円形ダイアルカレンダーを採用したバイオリズム計算表示カレンダーがありました。
【考案の開示】
【考案が解決しようとする課題】
【０００３】  実用新案登録番号第３０６１６２７号には、パワーアップさせる生命色については触れていなかった。
【課題を解決するための手段】
【０００４】  台座の円盤の中に、十二支のブロックに示された１月から１２月の基本色と、その上に重ねた一回り小さい透明の回転盤の上に、１から１２の数字及び叶えたい願いを１２ブロックに分け明記してあります。（１）の数字をしたの台座のじぶんの干支に合わせます。この状態で示された（１）から（１２）の願いの色が、自分の生涯のパワーアップカラーになります。
【考案を実施するための最良の形態】
【０００５】  カラーカレンダーの台座は、１２のブロックに分割されています。一番外側に１２の月その内側に１２の干支があり、上に重なっている透明の回転盤は１２の願いのパワーアップカラーを見出します。自分の基本３色の生命色は、自分の干支のブロックに示された色が第１カラーで、その正反対側の色（厄除け）が第２カラー、誕生月のブロックの色が第３のカラーとなります。更に透明の回転盤の（１）の数字を自分の干支を合わせると（１）から（１２）の生涯の基本パワーアップカラーを見出すことが出来ます。また、回転盤の（１）から（１２）の数字を自分の誕生月とし、一番外側の毎月の数字に合わせます。その状態で回転盤の（厄除け）に当たる色でそのつきのパワーアップカラーを見いだせます。次に、一般カレンダーのなかに書かれている毎日の干支を確認して下さい。そして回転盤の（１）から（１２）を自分の誕生月とし、その数字をカレンダーの日付けに示された干支の上に合わせます。その状態で毎日の１２のパワーアップカラーを見いだします。
【図面の簡単な説明】
【０００６】
【図１】パワーアップカレンダー本体の構造図
【図２】台紙の一番外側に１２の月、その内側に１２の干支が記されており、透明の回転盤を自分の干支に合わせた状態で示された１２の願いを表現した分解平面図
【符号の説明】
【０００７】  １  台座の十二支カラー  黒系
２  台座の十二支カラー  灰色系
３  台座の十二支カラー  緑系
４  台座の十二支カラー  黄系
５  台座の十二支カラー  橙系
６  台座の十二支カラー  赤系
７  台座の十二支カラー  桃色系
８  台座の十二支カラー  きなり系
９  台座の十二支カラー  茶系
１０  台座の十二支カラー  えんじ系
１１  台座の十二支カラー  紫系
１２  台座の十二支カラー  青系
１３  十二支のカラーカレンダーの台座
１４  １２のパワーアップカラーを記した回転盤
１５  透明回転盤と台座をバインドするセンターハトメ
【図１】
0003144696.tif 000003
【図２】
0003144696.tif 000004
(57)【要約】      （修正有）【課題】加齢や精神的なストレスにより性交時に勃起が出来ない不安や、勃起してもその持続が出来ない不安により、満足な性行為が出来難い勃起障害の状態でも性行為が可能な、勃起障害者用補助器具を提供する。【解決手段】リング部１、リング部より吊り下がったバー２、バーをリング部と結着する留め部３、バー先端部の結束部４、リング開放部５、リング開放部カバー６、よりなる勃起障害者用補助器具で、これを女性器に挿入して使用する。【選択図】図１
0003144699.tif 000002
【実用新案登録請求の範囲】
【請求項１】
開放出来るリングとリングに結着して吊り下がったバー数本の先端部を結束してなる勃起障害者用補助器具。
【考案の詳細な説明】
【技術分野】
【０００１】本案は、１図に示すごとく、リング部１、リング部より吊り下がったバー２、バーをリング部と結着する留め部３、バー先端部の結束部４、リング開放部５、リング開放部カバー６．よりなる勃起障害者用補助器具の考案である。
【考案の開示】
【考案が解決しようとする課題】
【０００２】本案は、加齢や精神的なストレスにより性交時に勃起が出来ない不安や、勃起してもその持続が出来ない不安により満足な性行為が出来難い状態を補足出来る、勃起障害者用補助器具の考案である。
【課題を解決するための手段】
【０００３】本案は、勃起障害者用補助器具により、勃起障害で勃起が充分でなく正常な性行為が出来ない症状の場合に、あらかじめ、勃起障害者補助器具を女性の膣部に挿入しておき、女性の膣部を開いておいた勃起障害者用補助器具の中に軟弱な男性器を挿入する、男性器が不十分な状態でも勃起障害者用補助器具により膣部の抵抗無しに挿入出来る精神的な安心感があり、しかもバーの隙間より膣内部に接触できることにより男女共に性行為をしている感覚が得られ、この性行為により男性器が刺激を受けて男性機能を回復させ得た場合には、勃起障害者用補助器具のリングを広げて開放することにより、リングとバーを取り外して通常の性行為をすることも出来る勃起障害者用補助器具の考案である。
【考案の効果】
【０００４】本案は、勃起障害者であっても女性の膣部に挿入して性行為を望む場合が多いのであり、勃起障害者用補助器具はその構造が女性の膣部を開いておくことが出来るソフトなクスコ効果があるので、硬度不十分な男性器でも容易に膣部に挿入できる精神的な安心感があり、そのため性行為が不安なく行える効果があるのである。日本では現在、４０歳以上の男性の半数以上が、勃起障害の悩みを抱いていると言われているが、若い男性であっても、過度なストレスや不規則な生活が続くと勃起障害のリスクが高まる。勃起力を高める薬が多く出回っているが安全性の不確かなものが多く、また糖尿病や心臓病等の危険な病気が隠されている可能性がある。本考案により、勃起障害者が女性の膣部に挿入して性行為が可能になるので男女共仕事や家庭生活での意欲を回復することが出来るのである。
【図面の簡単な説明】
【０００５】
【図１】本考案の実施形態を示す勃起障害者用補助器具の全体図
【符号の説明】
【０００６】１．勃起障害者用補助器具リング部１
２．勃起障害者用補助器具リング部より吊り下がったバー２
３．勃起障害者用補助器具バーをリング部と結着する留め部３
４．勃起障害者用補助器具バー先端部の結束部４
５．勃起障害者用補助器具リング開放部５
６．勃起障害者用補助器具リング開放部カバー６
【図１】
0003144699.tif 000003
(57)【要約】      （修正有）【課題】ファインダ光学系を備えたＴＴＬ測光方式を採るカメラにおいて、カメラの自動露出測光時に影響するファインダ入射光を自動的に遮断する装置を提供する。【解決手段】カメラのファインダ接眼部に配置した接眼センサーの電気信号を、予め不透過に設定しファインダ接眼部内部に配置した入射光遮断液晶シャッタに伝えることにより自動的に反転し透過させることで、接眼していない間はファインダ入射光に影響されないレンズ透過光のみによる正確な露光を実現している。加えて、その機能を使用するかしないかは、カメラ使用者が予めスイッチあるいはメニューから選択できる。【選択図】図３
0003144698.tif 000002
【実用新案登録請求の範囲】
【請求項１】
ファインダ光学系を備えたＴＴＬ測光方式を採るカメラにおいて、
カメラの自動露出に影響するファインダ光学系の光路を、カメラ使用者が接眼していないときは不透過で遮断しているが、接眼している間は透過する液晶シャッタ。
【請求項２】
ファインダ光学系を備えたＴＴＬ測光方式を採るカメラにおいて、
主電源が入っている場合に、カメラ使用者が接眼しているか否かを、測定するために、赤外線または超音波を発射し、一定の強さの反射光または反射音を受けた場合は電気信号を接眼レンズ奥に配置した液晶シャッタへ伝えて透過させるための機能を有するセンサー。
【請求項３】
ファインダ光学系を備えたＴＴＬ測光方式を採るカメラにおいて、
主電源が入っている場合、前記の請求項１または請求項２の作動を自動的に行うか否かを撮影者が選択できるようにしたスイッチあるいは制御装置。
【考案の詳細な説明】
【技術分野】
【０００１】  本考案は、ファインダ光学系を備えたＴＴＬ測光方式を採るカメラにおいて、ファインダからの入射光を電気的に制御する装置に関するものである。
【背景技術】
【０００２】  既存の、レリーズボタンが押しこまれると連動するオートアイピースシャッタの発明（特開１０−２０３６５請求項１２）があるが、それに比べて、本考案が異なるのは、接眼を感知した間のみ自動的に入射光遮断が解除され透過する液晶シャッタであることと、すべて電子的制御で可能になる点で機構減耗による動作不良等が発生し難くなる点である。【０００３】同発明は、レリーズボタンが押しこまれると各種連結機構を経由してアイピースシャッタがファインダ接眼部を遮蔽板で閉じることにより接眼部よりの入射光を遮断している。
【特許出願公開番号】
特開平１０−２０３６５
【発明の名称】
カメラのオートアイピースシャッタ
【考案の開示】
【考案が解決しようとする課題】
【０００４】  写真撮影にあたり、レリーズボタンが押しこまれてから露光が完了するまでの時間差（タイムラグ）が長く生じる機構はシャッターチャンスを逃し、機構動作に伴い発生する振動や音質が撮影者の心情に影響する原因になり、器械的動作にも負荷が加わる。
一方、本考案は電子式回路によるものであり機械式の問題点をすべて解決している。すなわち、ファインダ接眼部周囲に配置した赤外線あるいは超音波のセンサー６から発射された赤外線あるいは超音波が撮影者の顔面などによる反射を、同じ赤外線或いは超音波のセンサー６内に配置したセンサーで受け取ったことを電気信号にてファインダ接眼レンズの奥に配置された入射光遮断液晶シャッタ７に伝えることで、予め非透過状態にある液晶（図２の７）を接眼している間のみ透過（図３の７）させるものである。
その効果として、急速に移動する被写体を追う野鳥やスポーツなどを撮影時には、必ずしもファインダを覗きながらレリーズしない場合に、ファインダ光学系からの入射光が自動的に遮断されるため、レンズ光学系のみを計測する正確な露光（ＴＴＬ測光）が可能になる。
その他、セルフタイマー撮影時にアイピースシャッタを閉め、あるいはアイピースキャップを装着するなど通常撮影時と異なる処理や部品の持参が不要になる。
更に、デジタルカメラでは、背面液晶が表示されているときに、接眼すれば自動切断できるなど複数に連動させることで節電効果も得られる。ファインダ内情報（被写体と撮影情報）が背面液晶に表示可能なデジタルカメラでは、三脚にカメラ設置時などに必ずしもファインダを覗く必要がない撮影機会が多いため、効果は更に増加する。また、この方式を採用することで、ファインダ入射光遮断シャッタ以外に、背面液晶を表示している場合はファインダ接眼時の切断する装置として連動させることで電池の節電効率の向上を図ることができる。
【課題を解決するための手段】
【０００５】  本考案は、カメラのファインダ接眼部の周囲に接眼を感知する赤外線あるいは超音波のセンサーを配置して、その結果を電気信号として接眼部内に配置された液晶伝え、接眼していないときは黒く不透過となっている状態を、自動的に反転させ透過させる入射光自動遮断シャッタである。
【考案の効果】
【０００６】  カメラで写そうとする対象（被写体）は、使用者により様々であるが、各家庭内で家族を記録的に写す目的以外に、カメラの機能が多い中・高級カメラでは、野鳥撮影やスポーツ撮影など、急速に移動する被写体の撮影時には、ファインダを覗かないで外部に設置した照準器等で被写体を追いながらレリーズすることが多い。このような場合にアイピースシャッタを操作して遮断するための時間はかけられないため、自動的に作動する電子式入射光遮断シャッタが有益である。
【考案を実施するための最良の形態】
【０００７】  カメラのファインダへの接眼を測定するため、赤外線または超音波の発射し、反射がある場合に、赤外線光または超音波の強さから接眼距離が判断できるように調整して誤動作が最も少ない方式を採用する。
この感知情報を、ファインダへの入射光遮断液晶シャッタ以外に、背面液晶表示の切断に同時連動させることで電池の節電効率の向上を図る。
撮影者が、撮影に際して予め、ファインダ接眼時の自動液晶遮蔽シャッタを透過させる作動をするか否かに選択できるメニュー設定を設けて使用者の利便性に応えるようにする。
【図面の簡単な説明】
【０００８】
【図１】ＴＴＬ測光方式のカメラの概念図
【図２】当考案においてファインダに接眼していないときの断面図
【図３】当考案においてファインダに接眼しているときの断面図
【符号の説明】
【０００９】  １  機械式シャッタ
２  フィルム面または受像素子面（ＣＭＯＳ、ＣＣＤなど）
３  接眼レンズ
４  測光センサー
５  背面液晶
６  接眼感知センサー（赤外線または超音波のよる発射と反射光線または音波の感知）
７  入射光遮断液晶シャッタ（通常は黒色不透過、電気信号により反転し透過）
【図１】
0003144698.tif 000003
【図２】
0003144698.tif 000004
【図３】
0003144698.tif 000005
(57)【要約】      （修正有）【課題】インプラント植立の手術時でのパノラマレントゲン写真による施術部位の顎骨の状態の把握と計測を簡単に行うための器具を提供する。【解決手段】同心円に目盛られた線と放射状の線で構成される目盛りをもつ透明な板状の計測器である。放射状の線は中心点から１００ｍｍの部位で同心円との交点の間隔が５ｍｍになっている。放射状の線は１０ｍｍ間隔である。  レントゲン写真上の実際の距離を次の手順で求める。１）放射線の間隔が写真上のスチールボールの直径と一致するところにスケールを置く。２）この位置の放射線上の目盛りを１０で割れば撮影倍率が求められる。３）スケールをこの位置に固定したままで、同心円に沿って目的部位までの目盛りを放射線の間隔を５ｍｍと読み代えれば、実際の距離が求められる。【選択図】図１
0003144695.tif 000002
【実用新案登録請求の範囲】
【請求項１】
同じ中心点をもつ同心円と放射状の目盛りが記された透明な板。
【考案の詳細な説明】
【技術分野】
【０００１】  この考案は、歯科インプラント植立手術の際、パノラマレントゲン写真を利用した前準備に関する。
【背景技術】
【０００２】  インプラント植立の手術時にはパノラマレントゲン写真による施術部位の顎骨の状態の把握と計測が必要である。しかしパノラマレントゲン写真の撮影倍率はその場所によって様々である。その実際の撮影倍率は術者の最も知りたい事柄である。従来は、大きさの解っているスチールボールをレントゲン写真の当該部位に写し込み、その大きさをノギスなどで測定し、写真上の拡大率を求め、当該部位の各部も同倍率で撮影されているものとして測定し、計算により実際の距離を求めている。
【考案の開示】
【考案が解決しようとする課題】
【０００３】  しかしながら、以上の技術によれば、当該部位の測定は何カ所にもおよび、比例計算により求めるのは大変面倒なことである。この測定を簡単に行うための器具を提供することを課題とする。
【課題を解決するための手段】
【０００４】  以上の課題を解決するために、正確に目盛られた同心円と放射状の線で構成される目盛りをもつ透明な板状の計測器である。同心円の中心は放射状の線の中心点と同位置になっている。【０００５】  放射状の線と同心円との交点の間隔は、放射の中心点から１００ｍｍの部位では同心円線上で５ｍｍになっている。同心円の線は１０ｍｍ間隔である。
【考案の効果】
【０００６】  この考案によれば、レントゲン写真上の大きさの解っているスチールホール（５ｍｍφとする）の像の大きさを利用して撮影倍率を求める。その部位ではレントゲン像はスチールボールと同じ比率で撮影されていることを前提として各部位間の距離を求める。
１）レントゲン写真上のスチールボールの直径と放射線の間隔が一致するところにスケールを置く。このときインプラントの植立方向にスケールの同心円の線が一致するようにする。
２）この位置の放射線上の中心点からの目盛りを１０で割れば撮影倍率が求められる。
３）スケールをこの位置に固定したままで、同心円に沿って目的部位までの目盛りを放射線の間隔を５ｍｍと読み代えれば、インプラントを植立する部位での実際の距離が求められる。
【考案を実施するための最良の形態】
【実施例】
【０００７】  この考案の一実施例を、図１に示す。
この器具の形態は約１５０×８０ｍｍの透明板に１０ｍｍ間隔の同心円と放射状の線が目盛られている。同心円と放射状の線の中心は同一部位である。中心点から１００ｍｍの所で同心円と交差する放射状線の間隔は正確に５ｍｍとなっている。【０００８】  この実施例によれば、左右の症例に使いやすくするため、放射線の中心線の上下に目盛りを記している。
【図面の簡単な説明】  この考案の実地例の平面図である。【０００９】
【図１】この考案の一実施例を示す平面図である。
【符号の説明】
【００１０】  １  スケール本体            ２  同心円目盛り
３  放射状目盛り            ４  同心円、放射線の中心
５  放射線の基線
【図１】
0003144695.tif 000003
(57)【要約】      （修正有）【課題】体格の大きい人小さい人、だれにでも合う高さを調節でき安眠できる変形枕を提供する。【解決手段】両サイドのひもで高さ調節ができ全ての人に合った高さを実現でき、中央部が低く両サイドが高くなったひょうたん形をしている。整体学的にも肩や首の筋肉の緊張をほぐし、安眠できる等の効果がある。【選択図】図１
0003144678.tif 000002
【実用新案登録請求の範囲】
【請求項１】
枕の中央部が初めからひょうたん形にくびれた形に作られていることを特徴とする変形枕
【請求項２】
変形枕の両端のひもを作動する事によって中味を移動させ高さが自由に変えられる事を特徴とする変形枕
【考案の詳細な説明】
【技術分野】
【０００１】本考案は睡眠用の枕に関するものである。
【背景技術】
【０００２】従来の枕は肯巾の広い人も狹い人も同じ高さになっていた。
【考案の開示】
【考案が解決しようとする課題】
【０００３】体格の大きい人。小さい人。にもだれにでも合う高さをひもと形体によって自分ですぐ出来る枕を提供する。
【課題を解決するための手段】
【０００４】兩サイドの紐で高さ調節ができ全ての人に合った高さを実現する。中央部が低く兩サイドが高くなっている。
【考案の効果】
【０００５】睡眠時常に首の骨をまっすぐに保ち肩や首の筋肉を緊張から解放し整体学に基いてぎっくり腰、肩こりの改善と深い眠りを実現します。
【図面の簡単な説明】
【０００６】
【図１】平面図である
【図２】横視図である
【符号の説明】
【０００７】１  枕袋
２  しばりひも
３  中央部の形状
【図１】
0003144678.tif 000003
【図２】
0003144678.tif 000004
(57)【要約】      （修正有）【課題】観光の目玉である海を、思い出とともに持ち帰れる様に、小瓶に詰め、癒し、飾りとしての機能を持たせた海水の飾りを提供する。【解決手段】きれいな海域の自然の海水を、砂等と共に、透過性のガラス瓶又は密封容器に長期保存出来る様にし、癒し、楽しめる事を特徴した飾りとした。飾りはキーホルダー等に利用することができる。【選択図】図１
0003144680.tif 000002
【実用新案登録請求の範囲】
【請求項１】
ガラス瓶又は、透明容器の内部に自然の海水と共に、砂等を浮遊可能な状態で、収容した事を特徴とする飾り。
【考案の詳細な説明】
【技術分野】
【０００１】  本考案は、海水を用いた飾りに関するものである。
【背景技術】
【０００２】自然の海水は、食用品、美容品としての利用が知られています。
【考案の開示】
【考案が解決しようとする課題】
【０００３】ミネラル分が多い自然の海水に、飾りとしての機能を持たせる。
【課題を解決するための手段】
【０００４】本考案は、自然の海水と、砂等を、透過性のあるガラス瓶や透明容器等に収容することで、飾りとしての機能を持たしている。
【考案の効果】
【０００５】上述の様に、本考案の海水の飾りは、人工の海水ではなく、自然の海水を、透過性のガラス瓶又は透明容器に収容することにより、飾りとしての機能としてはもちろん、癒し効果も楽しめるものとした。
【考案を実施するための最良の形態】
【０００６】きれいな海域の自然の海水を取水する。【０００７】透過性のガラス瓶又は透明容器内に自然の海水、砂等と一緒に浮遊可能に収容し、密封する。
【図面の簡単な説明】
【００１０】
【図１】本考案のキーホルダー用の飾り
【符号の説明】
【００１１】１透過性の容器
２蓋
３砂等
４殺菌、浄化、活性化した処理海水
５紐
【図１】
0003144680.tif 000003
(57)【要約】      （修正有）【課題】贈り主にとって、お世話になった方達へ自分達の気持ちや、感謝を伝えることができる化粧箱を提供する。【解決手段】手前に向かって開口した紙製の身箱３と、奥側に向かって開口した紙製の蓋２とを備えた化粧箱である。前記蓋２の手前には、天板紙１が差込めることを特徴とする。天板紙が蓋に差込めるよう設計されている為、その天板紙に、贈り主が自由にデザインをすることにより、贈り主からの完全オリジナル贈答用化粧箱となる。それを用いた場合、贈り主はお世話になった方達へ、自分達の気持ちや、感謝を存分に伝えることができるし、また貰った方も贈り主の気持ちを容易に受け取ることができ、お互い幸せな気分となる。【選択図】図１
0003144610.tif 000002
【実用新案登録請求の範囲】
【請求項１】
手前に向かって開口した紙製の身箱と、奥側に向かって開口した紙製の蓋とを備えた化粧箱であり、前記蓋の手前には、天板紙が差込めることを特徴とする化粧箱
【請求項２】
蓋の手前には、天板紙が差込めるよう設計されていて、天板紙が差込める蓋の縁枠部分は、天板紙の枠より狭い為、一度天板紙をスライドさせて蓋の縁枠へ差込めば、落ちない仕組みとなっていることを特徴とする請求項１記載の化粧箱
【考案の詳細な説明】
【技術分野】
【０００１】
本考案は化粧箱に関するものである。
【背景技術】
【０００２】
たとえば、結婚式等に出席して頂いた方へ、引出物として贈り物を贈る習慣がある。従来は、化粧箱へ熨斗を貼り、名前を添えて贈る。一生に一度、もしくはそう何度もない人生の節目での贈り物にも関わらず、ただそれだけで贈るのも今一つ感謝を伝えきれない。
【特許文献１】実用新案登録第３０７８４５４号
【考案の開示】
【考案が解決しようとする課題】
【０００３】
したがって、本考案の目的は、贈り主にとってオリジナルの化粧箱を提供し、お世話になった方達へ自分達の気持ちや、感謝を伝えることができるようにする。
【課題を解決するための手段】
【０００４】
前記目的を達成するために、本考案の化粧箱は、手前に向かって開口した紙製の身箱
３と、奥側に向かって開口した紙製の蓋２とを備えた化粧箱である。前記蓋２の手前には、天板紙１が差込めることを特徴とする。
【考案の効果】
【０００５】
以上説明したように、本考案の化粧箱によれば、天板紙が蓋に差込めるよう設計されている為、その天板紙に、贈り主が自由にデザインをすることにより、贈り主からの完全オリジナルの贈答用化粧箱となる。それを用いた場合、贈り主はお世話になった方達へ、自分達の気持ちや、感謝を存分に伝えることができるし、また貰った方も贈り主の気持ちを容易に受け取ることができ、お互い幸せな気分となる。
【考案を実施するための最良の形態】
【０００６】
以下、本考案の一実施形態を図面にしたがって説明する。
図１に示すように、紙製の化粧箱は、手前に向かって開口した紙製の身箱３と、奥側に向かって開口した紙製の蓋２とを備えている。前記蓋２の手前には、天板紙１が差込めるよう設計されている。天板紙１が差込める蓋２の縁枠部分は、天板紙１の枠より狭い為、一度天板紙１をスライドさせて蓋２の縁枠へ差込めば、落ちない仕組みとなっている。
【実施例１】
【０００７】
前記蓋２の手前には、天板紙１が差込めるよう設計されている為、その天板紙に贈り主が自由にデザインをしたものを差込むことができる。たとえば結婚式の場合には、二人の思い出の写真や、二人からの感謝のメッセージ、アーティストに依頼して製作した似顔絵等を天板紙にデザインするのもよい。
【０００８】
天板紙のデザインは贈り主が自由にデザインできる為、他には一切ない贈り主オリジナルの化粧箱である。
【図面の簡単な説明】
【０００９】
【図１】本考案の一実施形態を示す箱の分解斜視図である。
【符号の説明】
【００１０】
１：天板紙
２：蓋
３：身箱
【図１】
0003144610.tif 000003
(57)【要約】      （修正有）【課題】周囲にウィルスや細菌の保菌者では無く、予防用として着用していることを示し、健康維持のためにマスクの着用をし易くするマスクを提供する。【解決手段】「予防用」、「風邪予防用」、「花粉対策用」、「鼻炎予防用」、「乾燥予防用」などの着用目的の文字やマークを、マスクの表面上に直接印刷するか、シールや紙もしくはプラスチック等のプレートを用いて表示する。【選択図】図１
0003144653.tif 000002
【実用新案登録請求の範囲】
【請求項１】
風邪予防、花粉対策、鼻炎予防、乾燥予防等として鼻と口の部分を覆う用途に用いるマスクにおいて、着用目的をマスク表面上に表示するマスク。
【考案の詳細な説明】
【技術分野】
【０００１】  本考案は、風邪の予防、花粉対策、鼻炎の予防、乾燥の予防等として着用するマスクにおいて、その着用目的をマスクの表面上に表示するマスクに関する。
【背景技術】
【０００２】  従来のマスクの利用のされ方は、風邪や花粉症の症状が現れた際に着用するのが主であった。【０００３】  例えば、風邪の予防としてマスクを着用する場合でも、特に外見上は風邪用のマスクと違いが無く、ウィルスや細菌の保菌者として周囲に誤認識されることが多々あるため、従来のマスクでは、着用が躊躇される状態であった。
【特許文献１】
【特許文献２】
【非特許文献１】
【非特許文献２】
【考案の開示】
【考案が解決しようとする課題】
【０００４】  本考案が解決しようとする課題は、周囲にウィルスや細菌の保菌者では無く、ウィルスおよび細菌の感染予防や花粉症対策などとして着用していることを周囲へ示し、健康維持のためにマスクを着用し易くすることである。
【課題を解決するための手段】
【０００５】  解決するための手段として、「風邪予防用」や「花粉対策用」、「鼻炎予防用」、「乾燥予防」のように「○○予防用」「○○予防中」「○○対策用」「○○対策中」（○○には、任意の文字）等とマスクを着用している目的の文字またはマークを、マスクの表面上に印刷もしくはシール、紙、プラスチック等のプレートを用いて表示する。
【考案の効果】
【０００６】  本考案を用いることで、通勤電車の車内や飛行機などの機内、その他の公共の場所において、周囲にウィルスや細菌の保菌者として誤認識されることなく、健康維持のために日常的にマスクを使用できる。
【考案を実施するための最良の形態】
【０００７】  最良の形態は、本考案のマスクに汎用性を持たせるために、用途目的の表示が交換出来る形態が望ましい。だだし、製造コストによっては、マスク本体に用途目的を直接印刷することが、最良となる可能性もある。
【実施例１】
【０００８】  図１に、プレート状の紙もしくはプラスチック等を素材とした用途目的表示を装着した際の実施例を示す。マスク本体は、「用途目的表示プレート」を装着するためのポケット状の構造を有する。
【実施例２】
【０００９】  図２に、シール状の用途目的を装着した際の実施例を示す。
【実施例３】
【００１０】  図３に、用途目的をマスク本体に印刷した際の実施例を示す。
【産業上の利用可能性】
【図面の簡単な説明】
【００１１】
【図１】  本考案の実施例１の斜め前から見た図である。
【図２】  本考案の実施例１の正面から見た図である。
【図３】  本考案の実施例１の用途目的表示部の拡大図である。
【図４】  本考案の実施例２の斜め前から見た図である。
【図５】  本考案の実施例３の斜め前から見た図である。
【符号の説明】
【００１２】  （１）…斜め前から見たマスク本体（実施例１）
（２）…斜め前から見た「用途目的表示プレート」（実施例１）（便宜上、図面では拡大している）
（３）…正面から見たマスク本体（実施例１）
（４）…正面から見た「用途目的表示プレート」（実施例１）（この例では、マスクの左右に「用途目的表示プレート」を装着しているが、片側のみ装着する場合もある）
（５）…拡大した正面から見たマスク本体（実施例１）
（６）…拡大した正面から見た「用途目的表示プレート」（実施例１）の例で、図の破線部は「用途目的表示プレート」がマスク本体のポケットに入っている状態を表している
（７）…斜め前から見たマスク本体（実施例２）
（８）…斜め前から見た「用途目的表示シール」（実施例２）
（９）…拡大した「用途目的表示シール」の例（実施例２）
（１０）…斜め前から見たマスク本体（実施例３）
（１１）…斜め前から見たマスク本体へ直接印刷した用途目的表示（実施例３）
【図１】
0003144653.tif 000003
【図２】
0003144653.tif 000004
【図３】
0003144653.tif 000005
【図４】
0003144653.tif 000006
【図５】
0003144653.tif 000007
【手続補正書】
【提出日】平成20年4月3日(2008.4.3)
【手続補正１】
【補正対象書類名】実用新案登録請求の範囲
【補正対象項目名】全文
【補正方法】変更
【補正の内容】
【実用新案登録請求の範囲】
【請求項１】
風邪予防、花粉対策、鼻炎予防、乾燥予防等として、鼻と口の部分を覆う用途のマスクにおいて、着用目的を表示するための板状プレート（裏側部には好みの香りを付着することも可能）と、そのプレートを装着できるように加工し、ポケットの機能を設けたマスクの組合せ。
【手続補正書】
【提出日】平成20年6月9日(2008.6.9)
【手続補正１】
【補正対象書類名】実用新案登録請求の範囲
【補正対象項目名】全文
【補正方法】変更
【補正の内容】
【実用新案登録請求の範囲】
【請求項１】
風邪予防、花粉対策、鼻炎予防、乾燥予防等として、鼻と口の部分を覆う用途のマスクにおいて、着用目的を表示するための板状プレートを装着できるように加工し、ポケットの機能を設けたマスク。
(57)【要約】      （修正有）【課題】一日中パソコンや机で仕事をしている人の運動不足によるメタボリック症候群の予防や姿勢の矯正ができ、また飛行機内では同じ姿勢を取り続けおこるエコノミークラス症候群の予防ができるクッションを提供する。【解決手段】椅子に座りクッションを太ももの下へ置き上体を起こし脚を前方へ上げることで腹直筋下部に負荷がかかり、上げる角度で負荷が増す。この姿勢でパソコンなどを操作すれば、仕事をしながら腹筋のトレーニングが出来る。また、飛行機内では膝が上がることで脚を前後に振り易くなるので簡単な運動よる血栓予防になる。また、炭素繊維シートの効果でオフィスではエアコンによる脚の冷えの予防、機内では膝裏の血流の流れを良くすることが出来る。【選択図】図６
0003144659.tif 000002
【実用新案登録請求の範囲】
【請求項１】
椅子に膝を上げた姿勢で座り脚を前方に上げることで、パソコンをしながら腹筋運動ができる、また前傾姿勢をとることで背筋が伸びるようになる、高さが５ｃｍ〜８ｃｍ奥行が１２ｃｍ〜１５ｃｍ幅が４０ｃｍから４５ｃｍの前方が高く底をアーチ状にしたクッション
【請求項２】
表面につけた炭素繊維シートの効果で脚の血行が良くなるクッション
【請求項３】
裏面につけた滑り止めの効果で微妙な角度で太ももをささえ、脚を前方へ投げ出し易く、前後に動かし易くするクッション
【考案の詳細な説明】
【技術分野】
【０００１】本考案はオフィスでメタボリック症候群の予防・緩和、飛行機内でエコノミークラス症候群の予防に繋がるクッション
【背景技術】
【０００２】今までのクッションは、おしりを上げ姿勢を良くするものはあったが、腹筋を鍛える効果のあるもの、脚を前後に動かしやすいもの、さらに血行が良くなる効果があるものはなかった。また、今まで腹筋を鍛えるものは大袈裟で続けるのが困難であった。【０００３】考案の開示
【考案が解決しようとする課題】
一日中椅子に座り、パソコンなどを操作している人の運動不足の緩和（腹筋のトレ−ニング）や絵や字を書く人の姿勢の矯正、飛行機内でのエコノミークラス症候群の予防。
【課題を解決するための手段】
【０００４】腹筋のトレーニングは椅子に座り、座面にこのクッションを置き、上体を起こし脚を前方に上げることで腹筋に負荷がかかり、上げる高さで負荷が増し鍛えられる。
姿勢の矯正は、座面にこのクッションを置き、前傾姿勢をとる。エコノミークラス症候群の予防は、機内シートの座面にこのクッションを置き、脚を前後に振るなどの簡単な運動をする
【考案の効果】
【０００５】オフィスでパソコンを打ちながら（顔が上向き上体が起きた状態）腹筋のトレーニグが出来ることで、辛い腹筋運動をすることも無く、そのために時間をとる必要もなく続けやすい。デスクで字や絵を書く時（顔が下向き前傾の状態）には背筋が伸び姿勢が良くなる。今までのおしりを上げるものは顔が下向きの前傾姿勢では姿勢は良くならない。飛行機では膝が上がっていることで脚を前後に振る運動がし易くなり、脚の血行を良くすることができる。また、炭素繊維シートの効果で血流もサラサラになり血栓のできるのを防ぎエコノミークラス症候群の予防に繋がる。
【考案を実施するための最良の形態】
【０００６】素材は脚の重さを支えられる硬度を持ち、また痛くない程度の柔らかさを持ったウレタンを使用。形は前方が高いアーチ状にすることで、太もも下へ置くと自然と膝の上がった姿勢がとれ、置く位置でいろいろな体型の人に対応できる。裏に付けた滑り止めの効果で微妙な角度で脚を支えることが出来るので、前方に脚を上げ腹筋に負荷を掛けたり、前後に振る運動もし易い。また炭素繊維シートを使うことで脚の血行、血流がよくなる。
【実施例】
【０００７】図１  図２  図３  に使用例として説明【０００８】［書類名］図面
［図１］考案品のパソコン操作時の使用例の図
［図２］考案品のデスクで字や絵を書く時の使用例の図
［図３］考案品の飛行機内での使用例の図
［図４］考案品の三面図
［図５］考案品の断面図
［図６］考案品の姿図
【図面の簡単な説明】
【０００９】
【図１】モニターが前方にあるので顔が正面を向き背中がおきた姿勢になる。脚を前方に上げると腹筋に負荷がかかる。
【図２】机の上に紙があるので顔が下を向き、前傾姿勢をとると背筋が伸びる。
【図３】飛行機の座席では脚を前後に動かす簡単な運動が血栓の予防をし、炭素繊維シートの血流の流れを良くする効果も加わる。
【符号の説明】
【００１０】▲１▼脱着式カバーのチャック
▲２▼炭素繊維シート。
▲３▼硬質ウレタン
▲４▼底部に滑り止め加工をしたカバー
【図−１】
0003144659.tif 000003
【図−２】
0003144659.tif 000004
【図−３】
0003144659.tif 000005
【図４】
0003144659.tif 000006
【図５】
0003144659.tif 000007
【図６】
0003144659.tif 000008
【手続補正書】
【提出日】平成20年6月7日(2008.6.7)
【手続補正１】
【補正対象書類名】実用新案登録請求の範囲
【補正対象項目名】全文
【補正方法】変更
【補正の内容】
【実用新案登録請求の範囲】
【請求項１】
高さが５ｃｍ〜８ｃｍ奥行が１２ｃｍ〜１５ｃｍ巾が４０ｃｍ〜４５ｃｍの前方が高く底をアーチ状にしたクッション。
【請求項２】
請求項１記載のクッションにおいて、表面に炭素繊維シートをつけたことを特徴とするクッション。
【請求項３】
請求項１記載のクッションにおいて、裏面に滑り止めをつけたことを特徴とするクッション。
【手続補正２】
【補正対象書類名】明細書
【補正対象項目名】０００９
【補正方法】変更
【補正の内容】
【０００９】
【図１】モニターが前方にあるので顔が正面をむき背中が起きた姿勢になる。脚を前方に上げると腹筋に負荷がかかる。
【図２】机の上に紙があるので顔が下を向き、前傾姿勢をとると背筋が伸びる。
【図３】飛行機の座席では脚を前後に動かす簡単な運動が血栓の予防をし、炭素繊維シートの血流の流れを良くする効果も加わる。
【図４】本考案に係るクッションの三面図である。
【図５】本考案に係るクッションの断面図である。
【図６】本考案に係るクッションの姿図である。
(57)【要約】      （修正有）【課題】家紋と姓名を組み合わせることによって、各員の判別を正確にできるようにしたはんこを提供する。【解決手段】同姓同名の区別を鮮明にするため、家紋と姓名を組み合て刻印した印面のはんこを製作する。【選択図】図１
0003144657.tif 000002
【実用新案登録請求の範囲】
【請求項１】
家紋と姓名を組み合わせた、はんこ。
【考案の詳細な説明】
【技術分野】
【０００１】  本考案は、はんこ、に関する。
【背景技術】
【０００２】  従来のはんこは、姓名だけを刻印していた。
【考案の開示】
【考案が解決しようとする課題】
【０００３】  しかし、姓名を刻印するだけで同姓同名の区別を鮮明にするには限界があり、特に、機械による大量生産品に至っては、同名の識別が困難であった。
【課題を解決するための手段】
【０００４】  そこで、古来の日本社会において、苗字のかわりに使用されてきた家紋と姓名を組み合わせることによって、各員が所有する、はんこの区別を正確に判別できるようにした。
【考案の効果】
【０００５】  これによって、日本の伝統文化でもある家紋の認識も深まり、はんこ本来の目的でもある、各員の判別が明確にできるようになる。
【考案を実施するための最良の形態】
【０００６】  本考案に係る家紋と姓名を組み合わせたはんこは、単に同姓同名の者に対する識別を容易にするというだけではなく、家紋という日本伝統文化の認識を深めるという目的もあるので、あくまでも家紋をベースにして姓名の構図をはかるべきであり、姓名の構成に重点を置き過ぎて、家紋の図柄が不鮮明にならないようにすることが望ましい。
【図面の簡単な説明】
【０００７】
【図１】  本考案に係る、家紋と姓名を組み合わせたはんこを、捺印した状態の平面図である。
【図２】  従来の、はんこを捺印した状態の平面図である。
【符号の説明】
【０００８】        １        家紋
２        姓名
【図１】
0003144657.tif 000003
【図２】
0003144657.tif 000004
【手続補正書】
【提出日】平成20年6月2日(2008.6.2)
【手続補正１】
【補正対象書類名】実用新案登録請求の範囲
【補正対象項目名】全文
【補正方法】変更
【補正の内容】
【実用新案登録請求の範囲】
【請求項１】
家紋と姓名を組み合わせた印面を有する、はんこ。
(57)【要約】      （修正有）【課題】寝たきり老人の排泄後処理をを誰でも、ある程度手軽、かつ安全で清潔に、更に低価格で実現するタンクを提供する。【解決手段】掃除機５がＯＮ状態にあればその吸引力はホース４によってタンク１内が激しく減圧する。その減圧力はホース２によってノズル３に伝わり排泄物を吸引する。吸引された排泄物はホース２によりタンク内に取り込まれ底の水中に落とし込まれることになる。タンク内では処理しやすい様にポリ袋８が張られ掃除機５による充分な吸引力は底水が存在しても大きく損なわれる事はない。【選択図】図１
0003144660.tif 000002
【実用新案登録請求の範囲】
【請求項１】
水による霧散防止機能と気水分離を目的とした１０数リットルの容量を持つ金属又は樹脂にて形成される汚物収納タンクに於いて、タンクの底に水を張り、上部は機密性を保ちつつ開閉もしくは取り外し可能な蓋構造とするも吸入孔より取り込んだ吸入ホース先端は底水の中に入れ排出孔は天板となる上部に設けて吸い込んだ半液状排泄汚物をタンク内面に張られたポリ袋又は容器に落とし込む介護用汚物収納タンク。
【請求項２】
上記汚物収納タンクに於いて、被介護者の汚物に接するホースの先端は着脱可能形状として適度な硬さを持つ紙もしくは樹脂で製作し燃やせるゴミとして製作された吸入ホース先端ノズル。
【請求項３】
上記汚物収納タンクに於いて排気孔を一般家庭に普及している家庭用掃除機の中間ジョイント部に適合するサイズに選ばれた汚物収納タンク
【考案の詳細な説明】
【技術分野】
【０００１】  福祉分野に於ける介護者と被介護者の関係に於いて被介護者の排泄物処理は介護する者、される者にとって、大変重要で手間のかかる困難な仕事になっている。その爲現状では一部を除いて多くは尿漏れパッドと水分を通しにくくされたオムツの併用にて処理しているのが現状である。【０００２】  後述する本発明は、寝たきり老人を誰でも、ある程度手軽・かつ安全で清潔。更に低価格で実現する為の機材である。
【背景技術】
【０００３】  排泄物処理の困難性は被介護者の介護レベルとその内容によって多岐にわたり、例えば足腰は健常でも痴呆性のある者・その逆の場合・更に老若男女でその対応は様々であるが、多くは先述したオムツと尿取りパッド及び介護者の努力に依存してきた
【考案の開示】
【考案が解決しようとする課題】
【０００４】  本発明の目的は介護者の負担を軽減すべく考案されたものである。介護制度が確立し介護者に於いても清潔で確実・安全・低価格でサービスが受けられれば心に安心が増す効果は計り知れない。
【課題を解決する為の手段】
【０００５】  被介護者の排泄物をあたかも掃除機がゴミを吸い取るが如く吸引する為に、気水分離機能を持ったタンクを介在して排泄物を吸引する。
【０００６】  排泄物の吸引のみならず臭気も低減する為に水をはり油性消臭液を油膜として水面にはらせれば悪性臭気は大幅に軽減できる。
【０００７】排気孔口にセラミック等の消臭効果を持ったフィルターを設ければ更に消臭効果が高まる。
【０００８】  本考案の吸入孔に導かれるホースは汚物で他を汚さない様、清潔にかつ被介護者にも安全に接触吸引する為、程よい硬さを持ったダンボール又は樹脂による筒状パイプが選ばれるも半固化された汚物を操作者が砕ける程度の固さは具備しなければならない。
【０００９】  本考案による汚物吸引ノズル（３）は、吸引した汚物が汚物タンク吸入ホース（２）内で詰まりを起こすと厄介なので、汚物タンク吸入ホース（２）内で詰まりを起こさない様に汚物吸引ノズル（３）の外径を、汚物タンク吸入ホース（２）の内径より若干小さく選ぶ事により、詰まりが生じた場合、詰まりを汚物吸引ノズル（３）内で起こさせて、着脱可能な構造にし、容易に清掃できる様にする、即ち人が操作する第一のフィルターの役割を担う。
【００１０】  本考案に於ける汚物タンク（１）の排出孔は、消臭フィルター（７）を通して掃除機（５）の吸入ホースに接続される。一般に普及している家庭用掃除機の吸入ホースは中間ジョイント部に於いて、おおむね外径４０ｍｍ程度で統一されているから、それに適合する排出孔を設ける。空気漏れを防ぐ為にテーパ構造をとる。
【考案の効果】
【００１１】  本案は先述した如く介護者の負担を軽減する為に発明されたもので、本機の使用に拠り、介護者の心理的負担感が著しく軽減することは明白である。
【００１２】  医療機関などに於いては一人の介護者がより多くの介護者の排泄処理が可能となる為、経営効率の向上にも役立つ
【考案を実施する為の最良に形態】
【００１３】  本案を説明する為に実施例に基づいて以下説明する。
【実施例】
【００１４】  図１は本発明の具体的構成図である。先述した如く本発明は寝たきり寝たまま老人をそのままの状態で家庭用の掃除機を利用した排泄後処理の介助機である。【００１５】  掃除機５がＯＮ状態にあればその吸引力はホース４によってタンク１内が激しく減圧する。その減圧力はホース２によってノズル３に伝わり排泄物を吸引する。吸引された排泄物はホース２によりタンク内に取り込まれ底の水中に落とし込まれることになる。タンク内では処理しやすい様にポリ袋が張られ掃除機による充分な吸引力は底水が存在しても大きく損なわれる事はない。
而して霧状汚物が掃除機に流れ込む事を防ぐことができる。【００１６】  ホースガイド６及び消臭フィルター７は本気の主目的を補助する為のものである。
【図面の簡単な説明】
【００１７】
【図１】本発明に掃除機を組み合わせた図である。
【符号の説明】
【００１８】  １．    汚物タンク
２．    汚物タンク吸入ホース
３．    汚物吸引ノズル
４．    掃除機吸入ホース
５．    掃除機
６．    ガイドホース
７．    消臭フィルター
８．    ポリ袋
９．    排出孔
１０．  吸入孔
【図１】
0003144660.tif 000003
【手続補正書】
【提出日】平成20年6月12日(2008.6.12)
【手続補正１】
【補正対象書類名】実用新案登録請求の範囲
【補正対象項目名】全文
【補正方法】変更
【補正の内容】
【実用新案登録請求の範囲】
【請求項１】
水による霧散防止機能と気水分離を目的とした１０数リットルの容量を持つ金属又は樹脂にて形成される汚物収納タンク（１）に於いて、タンクの底に水を張り、上部は気密性を保ちつつ開閉もしくは取り外し可能な蓋構造とするも吸入孔（１０）より取り込んだ吸入ホース（２）の先端は底水の中に入れ排出孔（９）は天板となる上部に設けて吸い込んだ半液状排泄汚物をタンク内面に張られたポリ袋又は容器（８）に落とし込む介護用汚物収納タンク。
【請求項２】
請求項１にて記載された装置に於いて、被介護者の汚物に接するホース（２）の先端は着脱可能形状として適度な硬さを持つ紙もしくは樹脂で製作し燃やせるゴミとして製作された吸入ホース先端ノズル。
【請求項３】
請求項１にて記載された装置に於いて排気孔（９）を一般家庭に普及している家庭用掃除機の中間ジョイント部に適合するサイズに選ばれた汚物収納タンク。
(57)【要約】      （修正有）【課題】立体写真シートを簡単に一括保持収納できる機能性と素早く立体鑑賞ができる利便性等の効果がある立体写真鑑賞用ビューアーを提供する。【解決手段】短冊型の立体写真鑑賞用ビューアーの本体２に左右で１組の立体写真シート４、４を挟んで保持収納の作用があるクリップ部３を付帯することで、ビューアー２と立体写真４、４は簡単に一括収納ができる。【選択図】図３
0003144655.tif 000002
【実用新案登録請求の範囲】
【請求項１】
短冊型の立体写真鑑賞用ビューアーの本体には、立体写真シートを挟んで保持収納の作用があるクリップ部（万年筆のキャップにつくクリップ、または、針金のゼムクリップ等）を付帯した立体写真鑑賞用ビューアー。
【考案の詳細な説明】
【技術分野】
【０００１】  本考案は、短冊型の立体写真鑑賞用ビューアーの本体に立体写真を一括して挟み保持収納するためのクリップ部を付帯した事に関するものである。
【背景技術】
【０００２】  従来からの短冊の幅を介して立体視する短冊型の立体写真鑑賞用ビューアーの本体は、単なる板状の短冊型ビューアー（図１）である。
【考案の開示】
【考案が解決しようとする課題】
【０００３】  従って、上記のような従来の短冊型ビューアーの本体と相対する複数の立体写真シートをまとめて収納保管するのは、不便で手間が掛かり、面倒である。その保管の煩わしさが解決しようとする課題である。
【課題を解決するための手段】
【０００４】  そのためには、短冊型ビューアーの本体に立体写真シートを挟んで保持収納の作用があるクリップ部（万年筆のキャップにつくクリップまたは針金などで形成されたゼムクリップ等）を付帯させることが解決の手段となる。
【考案の効果】
【０００５】  ビューアーの本体には、立体写真シートを簡単に一括保持収納する機能性と素早く立体鑑賞ができる利便性等の効果がある。
【考案を実施するための最良の形態】
【０００６】  図１は、従来の板状で短冊型の立体視用のビューアー本体（１）の正面図Ａと側面図Ｂである。
図２から図４のＡは正面図、Ｂは側面図に示すように本考案の実施の一例として、図２のＡとＢの板状で短冊型の立体視用ビューアー本体（２）には、立体写真シートを挟み保持収納の作用がある万年筆のキャップにつく留め具のようなクリップ部（３）を付帯すれば、図３のＡの左右で１組の立体写真シート（４、４）を図３のＢのように、クリップ部（３）の隙間へ差し込むと、図４のＡの如くクリップ部（３）は確実に立体写真シート（４、４）を挟んで収納する。
【図面の簡単な説明】
【０００７】
【図１】    従来の短冊型ビューアー本体の正面図Ａと側面図Ｂ。
【図２】    本考案のクリップ付き短冊型ビューアー本体の正面図Ａと側面図Ｂ。
【図３】    左右で１組の立体写真シートの正面図Ａとクリップ部へ差し込んだ写真シートの側面図Ｂ。
【図４】    クリップ部が立体写真シートを保持収納した正面図。
【符号の説明】
【０００８】    １      従来の短冊型ビューアーの本体。
２      本考案の短冊型ビューアーの本体。
３      クリップ部。
４      立体写真シート。
【図１】
0003144655.tif 000003
【図２】
0003144655.tif 000004
【図３】
0003144655.tif 000005
【図４】
0003144655.tif 000006
【手続補正書】
【提出日】平成20年6月2日(2008.6.2)
【手続補正１】
【補正対象書類名】実用新案登録請求の範囲
【補正対象項目名】全文
【補正方法】変更
【補正の内容】
【実用新案登録請求の範囲】
【請求項１】
短冊型の立体写真観賞用ビューアーの本体には、立体写真シートを挟んで保持収納の作用があるクリップ部を付帯した立体写真観賞用ビューアー。
(57)【要約】      （修正有）【課題】の外部にバネ状の弾性発条体の先にプレート等をつけスポーツ等の観戦時の応援を助長するカチューシャを提供する。【解決手段】旗つき応援カチューシャを頭につけることによって先端の旗がゆれ、目的である勝利へ導くものである。応援と共に団結力、結束力を生み、勝利へと導き、また体を動かさなくても旗がゆれることによって両手が自由になる。【選択図】図１
0003144656.tif 000002
【実用新案登録請求の範囲】
【請求項１】
合成樹脂材製硬質帯状のカチューシャ主体の外面に、弾性発条体と個飾体を載設した応援カチューシャ玩具。
【請求項２】
合成樹脂材製硬質帯状のカチューシャ主体の両側外面の所要位置に左右の各先端に旗を軸支した旗支え用の弾性発状帯を接続立設した旗付き応援カシューシャ玩具。
【請求項３】
左右の旗プレートは合成樹脂材より形成し、うさぎの耳を模した形を連想させる旗付きの応援カチューシャ玩具。
【請求項４】
旗を支える弾性発状体は動きのあるらせん状に形成し、カチューシャ装着時の動作によってゆらゆらとゆれるように設定したことを特徴とする旗付き応援カチューシャ玩具。
【請求項５】
内側に櫛部帯材を有し、装着時に固定させた旗付き応援カチューシャ玩具。
【考案の詳細な説明】
【技術分野】
【０００１】本考案はスポーツなどの観戦時に応援するためのグッズに関する。
【背景技術】
【０００２】従来は場を盛り上げ楽しむためのカチューシャであるが本考案の目的は応援のためのものである。
【考案の開示】
【考案が解決しようとする課題】
【０００３】本考案は旗のついたカチューシャをつけることによって応援する気持ちを表現するものである。
【課題を解決するための手段】
【０００４】合成樹脂材製硬質帯状のカチューシャ主体の外面に、弾性発条体と個飾体を戴設した応援カチューシャ玩具。
【考案の効果】
【０００５】本考案を使用することによって応援と共に団結力、結束力を生み、勝利へと導き、また体を動かさなくても旗がゆれることによって両手が自由になる。
【考案を実施するための最良の形態】
【０００６】スポーツ観戦等で本考案を頭につけ、弾性発条体の動きにより旗が揺らめき応援の効果を出す。
【図面の簡単な説明】
【０００７】
【図１】カチューシャの外面にうさぎの耳を模したバネ状の先に旗をつける、表面の図
【図２】カチューシャの外面にうさぎの耳を模したバネ状の先に旗をつける、裏面の図
【符号の説明】
【０００８】１…カチューシャ主体
２…滑止め櫛部
３…ゆれるようにする為の弾性発状体
４…応援の為の旗部
【図１】
0003144656.tif 000003
【図２】
0003144656.tif 000004
【手続補正書】
【提出日】平成20年6月3日(2008.6.3)
【手続補正１】
【補正対象書類名】実用新案登録請求の範囲
【補正対象項目名】全文
【補正方法】変更
【補正の内容】
【実用新案登録請求の範囲】
【請求項１】
カチューシャ、該カチューシャの外面上部に設置された弾性発条体、および、該弾性発条体先端に設置された個飾体を備えて構成される応援カチューシャ玩具。
【請求項２】
前記弾性発条体が、バネである請求項１に記載の応援カチューシャ玩具。
【請求項３】
前記個飾体が、応援用の旗である、請求項１または２に記載の応援カチューシャ頑具。